(57)【要約】【課題】多額の製造コストをかけることなく筆記具を容易に保持できる新規な壁掛けカレンダーの提供。【解決手段】書き込みスペースを有するカレンダー用紙を備えた壁掛けカレンダーであって、前記各カレンダー用紙に、棒状の筆記具５０が貫通可能な保持穴４０を形成する。これによってその保持穴４０に筆記具を差し込むだけで簡単にそれを保持できる。また、カレンダー用紙１０に保持穴４０を形成するだけであるため、製造コストも安価となり、また、複数重ねても嵩張ることがない。【選択図】図２
0003204557.tif 000002
【実用新案登録請求の範囲】
【請求項１】
書き込みスペースを有するカレンダー用紙を有する壁掛けカレンダー、または前記カレンダー用紙を複数枚重ね、その上端を保持枠体で束ねてなる壁掛けカレンダーであって、
前記各カレンダー用紙に、棒状の筆記具が貫通可能な保持穴が形成されていることを特徴とする壁掛けカレンダー。
【請求項２】
請求項１に記載の壁掛けカレンダーにおいて、
前記保持穴は、前記各カレンダー用紙のほぼ同じ位置に重ねて形成されていることを特徴とする壁掛けカレンダー。
【請求項３】
請求項１または２に記載の壁掛けカレンダーにおいて、
前記保持穴の形状が、スリット状または楕円形、菱形あるいは星形であることを特徴とする壁掛けカレンダー。
【請求項４】
請求項１乃至３のいずれかに記載の壁掛けカレンダーにおいて、
前記保持穴に、これより連続するスリット状の切れ込みが形成されていることを特徴とする壁掛けカレンダー。
【請求項５】
請求項１に記載の壁掛けカレンダーにおいて、
前記保持穴が前記筆記具の長さより短い間隔で一対以上形成されていることを特徴とする壁掛けカレンダー。
【考案の詳細な説明】
【技術分野】
【０００１】
本考案は、日付欄などに個人のスケジュールや予定などの書き込みが可能な壁掛けカレンダーに関する。
【背景技術】
【０００２】
一般に壁掛けカレンダーは、１月または２月単位の日付が記載された紙を複数枚、１年分重ねてその上端を束ねた構成のものが典型的である。そして、このような壁掛けカレンダーは、各日付欄などに書き込みが可能なスペースが設けられている場合が多く、利用者はペンや鉛筆などの筆記具を用いてそのスペースに個人のスケジュールや予定などをメモ書きすることも多い。
【０００３】
このように壁掛けカレンダーにメモ書きする際には筆記用具が必要となるが、いざ書き込む際にその近くに適当な筆記用具が見当たらないことが多く、その都度部屋中を探し回るなどの煩わしい手間が多い。そのため、例えば以下の特許文献１では、カレンダー用紙を取り付ける台紙にポケットを設け、このポケットに筆記具を収容可能とすることでメモ書きが直ぐに行えるようにした壁掛けカレンダーが提案されている。
【０００４】
また、以下の特許文献２では、カレンダー部を取り付ける台紙の下端にその台紙の一部を利用して（折り曲げて）組み立て可能なトレーを形成し、そのトレーに筆記具を収容可能とした壁掛けカレンダーが提案されている。また、以下の特許文献３には、メモ書き込み基板を備えたカレンダー基板にペン保持筒を備えた壁掛けカレンダーが提案されている。さらに、以下の特許文献４には、カレンダーの保持枠に、折り込むことによって箱状に形成されるペン収容具を設置したアイデアが提案されている。
【先行技術文献】
【特許文献】
【０００５】
【特許文献１】特開平７−２３２４８８号公報
【特許文献２】特開２００６−１０６１号公報
【特許文献３】特開２０００−１０８５４８号公報
【特許文献４】特開２００１−８０２８２号公報
【考案の概要】
【考案が解決しようとする課題】
【０００６】
ところで、前述したような従来の壁掛けカレンダーでは、カレンダー用紙本体とは別個に筆記具を収容するためのトレーやポケット、ペン保持筒などを別途設ける必要があるため、その分だけ製造コストが高くなるといった問題がある。特に、壁掛けカレンダーはその多くが企業の販売促進用に顧客などに無償提供されるものが多いため、できるだけコストを抑えた仕様が望まれている。
【０００７】
そこで、本考案の目的は、これらの課題を解決するために案出されたものであり、その目的は、多額の製造コストをかけることなく筆記具を容易に保持できる新規な壁掛けカレンダーを提供することにある。
【課題を解決するための手段】
【０００８】
前記課題を解決するために第１の考案は、書き込みスペースを有するカレンダー用紙を有する壁掛けカレンダー、または前記カレンダー用紙を複数枚重ね、その上端を保持枠体で束ねてなる壁掛けカレンダーであって、前記各カレンダー用紙に、棒状の筆記具が貫通可能な保持穴が形成されていることを特徴とする壁掛けカレンダーである。
【０００９】
このような構成によれば、カレンダー用紙に形成された保持穴に棒状の筆記具を差し込むだけで簡単にそれを保持できる。そして、書き込みが必要なときにはその筆記具を保持穴から抜き出して使用でき、使用後はそのままその保持穴に差し込むだけで良い。また、カレンダー用紙に保持穴を形成するだけであるため、製造コストも安価となり、また、複数重ねても嵩張ることがない。
【００１０】
第２の発明は、第１の発明において、前記保持穴は、前記各カレンダー用紙のほぼ同じ位置に重ねて形成されていることを特徴とする壁掛けカレンダーである。このような構成によれば、複数枚のカレンダー用紙の保持穴に対して筆記具を差し込んで保持できるため、一枚当たりのカレンダー用紙の強度が十分でない場合でもより確実に筆記具を保持できる。
【００１１】
第３の発明は、第１または第２の発明において、前記保持穴の形状が、スリット状または楕円形、菱形あるいは星形であることを特徴とする壁掛けカレンダーである。このような構成によれば、保持穴の大きさが適宜変更可能となるため、筆記具のサイズと保持穴の大きさが一致しない場合であっても筆記具をしっかりと保持穴に保持することができる。
【００１２】
第４の発明は、第１乃至第３の発明において、前記保持穴に、これより連続するスリット状の切れ込みが形成されていることを特徴とする壁掛けカレンダーである。このような構成によれば、第３の発明と同様に保持穴の大きさがスリット部分が開くなどして適宜変更可能となるため、筆記具のサイズと保持穴の大きさが一致しない場合であっても筆記具をしっかりと保持穴に保持することができる。
【００１３】
第５の発明は、第１の発明において、前記保持穴が前記筆記具の長さより短い間隔で一対以上形成されていることを特徴とする壁掛けカレンダーである。このような構成によれば、一対の保持穴間に架け渡すようにして１つの筆記具を貫通できるため、よりしっかりと筆記具を保持することができる。
【考案の効果】
【００１４】
本考案によれば、以下のような効果を発揮する。
１．カレンダー用紙に形成された保持穴に棒状の筆記具を差し込むだけで簡単にそれを保持できる。そして、書き込みが必要なときにはその筆記具を保持穴から抜き出して使用でき、使用後はそのままその保持穴に差し込むだけで良い。
２．また、カレンダー用紙に保持穴を形成するだけであるため、製造コストも安価となり、また、余分な部品が無いため、複数重ねても嵩張ることがない。
３．保持穴の形状をスリット状または楕円形、菱形あるいは星形とすることによって保持穴の大きさが適宜変更可能となるため、筆記具のサイズと保持穴の大きさが一致しない場合であっても筆記具をしっかりと保持することができる。
４．筆記具の長さより短い間隔で保持穴を一対以上形成することによって、よりしっかりと筆記具を保持することができる。
【図面の簡単な説明】
【００１５】
【図１】本考案に係る壁掛けカレンダー１００の実施の一形態を示す斜視図である。
【図２】最表面の保持穴４０に筆記具５０を差し込んで保持した状態を示す斜視図である。
【図３】すべての保持穴４０に筆記具５０を差し込んで保持した状態を示す側面図である。
【図４】本発明で利用可能な保持穴４０の他の形状を示す図である。
【図５】本考案に係る壁掛けカレンダー１００の他の実施形態を示す部分拡大正面図である。
【図６】保持穴４０の他の実施形態を示す拡大図である。
【考案を実施するための形態】
【００１６】
以下、本考案の実施の形態を添付図面を参照しながら説明する。図１は、本考案に係る壁掛けカレンダー１００の実施の一形態を示したものである。図示するようにこの壁掛けカレンダー１００は、矩形状に裁断されたカレンダー用紙１０を複数枚重ね、その上端を保持枠体２０で冊子状に束ねて構成されている。このカレンダー用紙１０は従来から用いられている一般的な印刷用紙、例えば化学パルプを主原料とする普通紙や上質紙の他、塗工紙やコート紙などの加工紙などからなっている。また、その大きさも様々であり、例えば縦５０ｃｍ〜１５０ｃｍ、横５０ｃｍ〜１００ｃｍのものが多用される。
【００１７】
このカレンダー用紙１０は、その表面に、日付・曜日などを表形式などで表示した七曜表３０が印刷されており、この七曜表３０の各日付欄には、書き込み自在なスペース３１が各々形成されている。なお、この七曜表３０は図示するように１枚のカレンダー用紙１０に対して１ヶ月づつ記載されたものの他に、１枚のカレンダー用紙１０に対して二ヶ月分以上纏めて記載したものであっても良く、あるいは１枚のカレンダー用紙１０に対して１２ヶ月分（１年分）纏めて記載したものであっても良い。
【００１８】
保持枠体２０は複数枚のカレンダー用紙１０を束ねる機能を有するものであれば、図示するようにその幅方向に連続する金属製の金枠の他に、コイル状やクリップ状のような他のものも用いられる。また、さらに保持枠体２０の中央部には留金部２１が形成されており、画鋲２２や釘などによって垂直壁面Ｗに壁掛け可能となっている。
【００１９】
そして、このカレンダー用紙１０の一部、すなわち図１および図２に示すように七曜表３０の右下部分には、筆記具５０を保持するための保持穴４０が形成されている。この保持穴４０の穴径は、ボールペンや鉛筆などの棒状の筆記具が貫通する程度の大きさ、例えば７ｍｍ〜１５ｍｍ程度の大きさとなっている。この保持穴４０は、重なり合ったカレンダー用紙１０のほぼ同じ位置に重ねて形成されている。
【００２０】
このようにカレンダー用紙１０に保持穴４０を設ければ、図２に示すようにこの保持穴４０に筆記具５０を差し込むだけで簡単にそれを保持できる。従って、書き込みが必要なときにはその保持穴４０に挿入された筆記具５０を抜き出してすぐに使用することができ、使用後はそのままその保持穴４０に筆記具５０を差し込むだけで簡単に保持することができる。また、穿孔機などを用いてカレンダー用紙１０に保持穴４０を一気に形成できるあるため、製造コストも安価となり、また、余分な部品が無いため、複数重ねても嵩張ることがない。
【００２１】
このように保持穴４０に筆記具５０を差し込んで際には、最も表に位置するカレンダー用紙１０の保持穴４０だけを利用しても良いが、図３（Ａ）に示すようにこの保持穴４０は各カレンダー用紙１０に対してほぼ同じ位置に形成されているため、図３（Ｂ）に示すようにこれらすべての保持穴４０に対して一気に挿入するようにすれば、よりしっかりと筆記具５０を保持することができる。特にカレンダー用紙１０が薄紙であって一枚だけでは強度が十分でない場合には、このような使用方法が望ましい。
【００２２】
また、この保持穴４０の形状は円形だけでなく、その他の形状であっても良い。例えば、図４（Ａ）に示すようにスリット状であったり、同図（Ｂ）に示すように楕円形であったり、同図(Ｃ)、（Ｄ）に示すように菱形や星形であっても良い。さらに、同図（Ｅ）に示すように縦横の切れ込み形であったり、あるいは同図（Ｆ）に示すように円形にスリット状の切れ込み４１を加えた形態であっても良い。
【００２３】
そして、さらにこのような形状であれば、様々な太さの筆記具５０も容易に保持できるという効果が得られる。すなわち、図４（Ａ）に示すようなスリット形の保持穴４０では、、筆記具５０の径が大きければそのスリットが大きく開き、反対に筆記具５０の径が小さければそのスリットの開き具合も小さくなるため、あらゆる大きさ（太さ）の筆記具５０に対応することができる。これは、同図（Ｂ）に示す楕円形の場合も同じである。
【００２４】
また、同図（Ｃ）に示す菱形（四角形）の場合は、これが丸く変形することでそれよりも太い径の筆記具５０に対応することができる。また、同図（Ｄ）に示す星形の場合は、その穴の内側に突き出す部分４２がその筆記具５０の大きさに合わせて潰れるように変形することであらゆる大きさ（太さ）の筆記具５０に対応することができる。これは同図（Ｅ）に示すクロス状のスリットからなる場合も同じである。
【００２５】
さらに、同図（Ｆ）に示すように円形にスリット状の切れ込み４１を加えた保持穴４０の場合では、差し込まれる筆記具５０の径が保持穴４０よりも大きい場合には、その切れ込み４１が開くように変形することで太い径の筆記具５０であってもこれをしっかりと保持することができる。なお、太い径の筆記具５０から細い径のものに変えた場合には、指などによってその保持穴４０の形状を元に戻してそのクセを直せば、その後は細い径の筆記具５０であってもしっかりとその保持穴４０に保持することができる。
【００２６】
また、図５に示すようにこの保持穴４０を筆記具５０の長さより短い間隔で一対以上形成しても良い。このようにすれば、図示するように一対の保持穴４０，４０間に架け渡すようにして１つの筆記具５０を貫通できるため、よりしっかりと筆記具を保持することができる。なお、この場合の保持穴４０の形状としては図４に示すように様々な組み合わせを用いることができる。また、この保持穴４０の形成位置は、本実施の形態のように七曜表３０の右下位置だけでなく、左下位置やその両側、上部などあらゆる位置に、しかも複数形成しても良い。さらに、この保持穴４０には筆記具５０の他にハサミや眼鏡、物指しなどのその他の日用品を保持することも可能である。
【００２７】
さらに図６に示すように、保持穴４０がスリット状の場合には、その端部にそのスリットと連続する小穴４３を形成しても良い。このように構成すれば、スリット状保持穴４０の端部を起点としてカレンダー用紙が破けて保持穴４０が拡大してしまうような不都合も回避できる。また、さらにこの保持穴４０部分をプレスチックテープなどで覆い、穴かがりの如く補強しても良い。  
【符号の説明】
【００２８】
１００…壁掛けカレンダー
１０…カレンダー用紙
２０…保持枠
２１…留金部
２２…画鋲
３０…七曜表
３１…書き込みスペース
４０…保持穴
４１…切れ込み
４２…突き出し部
４３…小穴
５０…筆記具
Ｗ…壁面
【図１】
0003204557.tif 000003
【図２】
0003204557.tif 000004
【図３】
0003204557.tif 000005
【図４】
0003204557.tif 000006
【図５】
0003204557.tif 000007
【図６】
0003204557.tif 000008